(57)【要約】【課題】頭髪から脱落し難く、さらには、脱毛の危険性を低減させることができるヘアエクステンションを提供することを目的としている。【解決手段】毛髪を束ねた本体部１と、  本体部１の基端部１ａが平坦面を備えるように接着固定された固着部２と、  固着部２の平坦面に固着された止着部３と、を有し、  止着部３は、自毛束ＨＧに止着可能であると共に、第１の粘着シート３０と第２の粘着シート３１とが貼り合わされて形成されてなることを特徴としている。【選択図】図１
2018016905.tif 000002
【特許請求の範囲】
【請求項１】
毛髪を束ねた本体部と、
前記本体部の基端部が平坦面を備えるように接着固定された固着部と、
前記固着部の平坦面に固着された止着部と、を有し、
前記止着部は、自毛束に止着可能であると共に、複数の粘着シートが貼り合わされて形成されてなるヘアエクステンション。
【請求項２】
前記止着部は、第１の粘着シートと、第２の粘着シートと、を備え、
前記第１の粘着シートと、前記第２の粘着シートとを貼り合わせるにあたって、当該第１の粘着シートの少なくとも一方の面に設けられている粘着面と、当該第２の粘着シートの両面に設けられている粘着面のうち一方の粘着面とを、前記固着部を挟持するように貼り合わせることで、前記第１の粘着シートと前記第２の粘着シートとを貼り合わせてなる請求項１に記載のヘアエクステンション。
【請求項３】
前記請求項１又は２に記載のヘアエクステンションを自毛束に取り付けるヘアエクステンションの取付方法において、
前記ヘアエクステンションの止着部の粘着面に前記自毛束を止着し、該粘着面を該自毛束に巻き付ける工程と、
前記自毛束に前記粘着面を巻き付けた止着部にヘアアイロン等の頭髪加熱器具を用いて熱を加える工程と、
前記熱を加えた止着部にニッパ等の工具を用いて凹凸形状を形成する工程と、を含んでなるヘアエクステンションの取付方法。
【発明の詳細な説明】
【技術分野】
【０００１】
本発明は、所謂付け毛として頭髪に取り付けるヘアエクステンションと、その取付方法に関する。
【背景技術】
【０００２】
一般的に、ヘアエクステンションは、人毛や人工毛髪を束にしたものであり、髪を長く見せたり、頭髪のボリュームを増したり、自毛とは色の異なる毛束をファッション的に付けたりするのに広く利用されている。このようなヘアエクステンションとして、例えば、特許文献１に記載のようなヘアエクステンションが知られている。このヘアエクステンションは、付け毛束の基端部に、自毛束に対する止着手段としての結付け用糸が一端側で接着固定されているというものである。
【０００３】
ところで、このヘアエクステンションは、熟練を要さず且つ格別な道具を用いることなく、頭髪への取り付けを容易に短時間で行える上、自毛を痛める懸念がないものの、昨今要望が高まって来ている頭髪への取り付けをより容易に短時間で行えるヘアエクステンションとしての要望に応えられるものではなかった。
【０００４】
そこで、このような問題を解決すべく、ヘアエクステンションを両面接着シールで頭髪に取付けるシールエクステンションと呼ばれるヘアエクステンションが提案されている（例えば、特許文献２参照）。
【先行技術文献】
【特許文献】
【０００５】
【特許文献１】特開２０１１−４２９０６号公報
【特許文献２】実用新案登録第３１８５６５８号
【発明の概要】
【発明が解決しようとする課題】
【０００６】
しかしながら、この種のヘアエクステンションは、頭髪への取付けが容易であるものの、頭髪から脱落し易いという問題があり、さらには、外れ難くするため、ヘアエクステンションを取付ける頭髪の量を少なくすると、ヘアエクステンションの重みでヘアエクステンションを取付けた頭髪部分が脱毛する危険性があるという問題があった。
【０００７】
そこで、本発明は、上記問題に鑑み、頭髪から脱落し難く、さらには、脱毛の危険性を低減させることができるヘアエクステンションと、その取付方法を提供することを目的としている。
【課題を解決するための手段】
【０００８】
上記本発明の目的は、以下の手段によって達成される。なお、括弧内は、後述する実施形態の参照符号を付したものであるが、本発明はこれに限定されるものではない。
【０００９】
請求項１の発明に係るヘアエクステンション（Ｈ）によれば、毛髪を束ねた本体部（１）と、
前記本体部（１）の基端部（１ａ）が平坦面を備えるように接着固定された固着部（２）と、
前記固着部（２）の平坦面に固着された止着部（３）と、を有し、
前記止着部（３）は、自毛束（ＨＧ）に止着可能であると共に、複数の粘着シート（第１の粘着シート３０、第２の粘着シート３１）が貼り合わされて形成されてなることを特徴としている。
【００１０】
また、請求項２の発明によれば、上記請求項１に記載のヘアエクステンション（Ｈ）において、前記止着部（３）は、第１の粘着シート（３０）と、第２の粘着シート（３１）と、を備え、
前記第１の粘着シート（３０）と、前記第２の粘着シート（３１）とを貼り合わせるにあたって、当該第１の粘着シート（３０）の少なくとも一方の面に設けられている粘着面（３０ｂ）と、当該第２の粘着シートの両面に設けられている粘着面（３１ａ１，３１ａ２）のうち一方の粘着面（３１ａ１）とを、前記固着部（２）を挟持するように貼り合わせることで、前記第１の粘着シート（３０）と前記第２の粘着シート（３１）とを貼り合わせてなることを特徴としている。
【００１１】
一方、請求項３の発明によれば、上記請求項１又は２に記載のヘアエクステンション（Ｈ）を自毛束（ＨＧ）に取り付けるヘアエクステンションの取付方法において、
前記ヘアエクステンション（Ｈ）の止着部（３）の粘着面（３０ｂ，３１ａ２）に前記自毛束（ＨＧ）を止着し、該粘着面（３０ｂ，３１ａ２）を該自毛束（ＨＧ）に巻き付ける工程（図６参照）と、
前記自毛束（ＨＧ）に前記粘着面（３０ｂ，３１ａ２）を巻き付けた止着部（３）にヘアアイロン等の頭髪加熱器具（Ｉ）を用いて熱を加える工程（図７（ａ）参照）と、
前記熱を加えた止着部（３）にニッパ等の工具（Ｎ）を用いて凹凸形状を形成する工程（図７（ｂ）参照）と、を含んでなることを特徴としている。
【発明の効果】
【００１２】
次に、本発明の効果について、図面の参照符号を付して説明する。なお、括弧内は、後述する実施形態の参照符号を付したものであるが、本発明はこれに限定されるものではない。
【００１３】
請求項１に係る発明によれば、複数の粘着シート（第１の粘着シート３０，第２の粘着シート３１）を貼り合わせた止着部（３）を形成し、その止着部（３）を固着部（２）の平坦面（固着部２の上面２ａ，下面２ｂ，左側面２ｃ，右側面２ｄ）に固着することにより、止着部（３）の強度が増すこととなる。それゆえ、止着部（３）を自毛束（ＨＧ）に止着させた際、止着部（３）の強度が高いため、自毛束（ＨＧ）の重みによっても、ヘアエクステンション（Ｈ）が脱落し難くなる。これにより、ヘアエクステンション（Ｈ）を取り付ける際、頭髪の量、すなわち、自毛束（ＨＧ）の量を少なくする必要がないため、脱毛の危険性を低減させることができる。
【００１４】
また、請求項２に係る発明によれば、止着部（３）を形成するにあたって、第１の粘着シート（３０）の少なくとも一方の面に設けられている粘着面（３０ｂ）と、第２の粘着シート（３１）の両面に設けられている粘着面（３１ａ１，３１ａ２）のうちの一方の粘着面（３１ａ１）とを、固着部（２）を挟持するように貼り合わせているだけであるから、簡単容易に止着部（３）を形成することができる。
【００１５】
一方、請求項３に係る発明によれば、ヘアエクステンション（Ｈ）の止着部（３）の粘着面（３０ｂ，３１ａ２）に自毛束（ＨＧ）を止着し、該粘着面（３０ｂ，３１ａ２）を該自毛束（ＨＧ）に巻き付け、自毛束（ＨＧ）に粘着面（３０ｂ，３１ａ２）を巻き付けた止着部（３）にヘアアイロン等の頭髪加熱器具（Ｉ）を用いて熱を加え、その後、熱を加えた止着部（３）にニッパ等の工具Ｎを用いて凹凸形状を形成しているから、自毛束（ＨＧ）と止着部（３）との接着面接が増え、もって、止着部（３）と自毛束（ＨＧ）とがより強固に止着されることとなる。これにより、ヘアエクステンション（Ｈ）が頭髪、すなわち、自毛束（ＨＧ）から脱落し難くなり、さらには、ヘアエクステンション（Ｈ）を取付ける際、頭髪の量、すなわち、自毛束（ＨＧ）の量を少なくする必要がないため、脱毛の危険性を低減させることができる。
【図面の簡単な説明】
【００１６】
【図１】（ａ）は本発明の一実施形態に係るヘアエクステンションの斜視図、（ｂ）は（ａ）に示すＡ−Ａ線断面図である。
【図２】同実施形態に係る止着部を形成する工程を示し、（ａ）は固着部に第１の粘着シートの粘着面を貼着しようとしている状態を示す斜視図、（ｂ）は固着部に第１の粘着シートの粘着面を貼着した状態を示す斜視図、（ｃ）は（ｂ）に示す固着部より突出している第１の粘着シートの粘着面を固着部に貼着した状態を示す斜視図である。
【図３】同実施形態に係る止着部を形成する工程を示し、（ａ）は図２（ｃ）の非粘着面を上から見た状態を示す斜視図、（ｂ）は（ａ）に示すＢ−Ｂ線断面図、（ｃ）は剥離シートを僅かながら（ｂ）に示す矢印Ｙ２方向に移動させた状態を示す断面図である。
【図４】同実施形態に係る止着部を形成する工程を示し、（ａ）は図３（ｃ）に示す状態から固着部を挟み込みように第１の粘着シートに第２の粘着シートを貼り合せようとしている状態を示す断面図、（ｂ）は第１の粘着シートに第２の粘着シートを貼り合せた後、第２の粘着シートの剥離シートを剥離している状態を示す断面図、（ｃ）は第２の粘着シートの粘着面に第１の粘着シートの剥離シートを貼着している状態を示す断面図である。
【図５】同実施形態に係るヘアエクステンションを自毛束に取り付ける工程を示し、（ａ）は止着部の粘着面に自毛束を固着しようとしている状態を示す斜視図、（ｂ）は止着部の粘着面に自毛束を固着した後、粘着面に固着された自毛束を剥離シートで隠蔽している状態を示す斜視図、（ｃ）は剥離シートを剥離している状態を示す斜視図である。
【図６】同実施形態に係るヘアエクステンションを自毛束に取り付ける工程を示し、（ａ）〜（ｃ）は自毛束に粘着面を巻き付けている状態を示す斜視図である。
【図７】（ａ）は自毛束にヘアエクステンションを取り付けた後、止着部にヘアアイロン等の頭髪加熱器具で熱を加えようとしている状態を示す斜視図、（ｂ）は止着部に熱を加えた後、ニッパ等の工具で止着部に凹凸形状を形成しようとしている状態を示す斜視図である。
【発明を実施するための形態】
【００１７】
以下、本発明に係るヘアエクステンションの一実施形態を、図面を参照して具体的に説明する。なお、以下の説明において、上下左右の方向を示す場合は、図示正面から見た場合の上下左右をいうものとする。
【００１８】
図１（ａ）に示すように、本実施形態に係るヘアエクステンションＨは、偏平状に毛髪を束ねた本体部１と、その本体部１の基端部１ａが接着剤によって接着固定された固着部２と、その固着部２に固着されているシート状の止着部３（図１（ｂ）参照）とで構成されている。固着部２は、図１（ｂ）に示すように、断面視矩形状に形成されており、上下面２ａ，２ｂ及び左右側面２ｃ，２ｄが平坦面に形成されている。そして、止着部３は、図５〜図６に示すように自毛束ＨＧに止着されるもので、図１（ｂ）に示すように、断面視略矩形状の第１の粘着シート３０と、断面視略矩形状の第２の粘着シート３１とが貼り合わされることにより形成されている。この点、図２〜図４を参照して詳細に説明する。
【００１９】
第１の粘着シート３０は、例えば、医療用の粘着シートで形成され、図２（ａ）〜（ｃ）に示すように、半透明な非粘着面３０ａの片面に粘着剤が積層された透明な粘着面３０ｂが設けられ、その粘着面３０ｂには不透明な剥離シート３０ｃが貼着されている。
【００２０】
かくして、このように形成される第１の粘着シート３０は、図２（ａ）に示すように、粘着面３０ｂの一部が露出するように、剥離シート３０ｃの一部が粘着面３０ｂより剥離され、そして、その一部が露出した粘着面３０ｂに、図２（ｂ）に示すように、固着部２の上面２ａが貼着される。なお、一部が露出した粘着面３０ｂに固着部２の上面２ａを貼着するにあたっては、図２（ｂ）に示すように、一部が露出した粘着面３０ｂと固着部２の上面２ａの幅方向（図示では上下方向）の長さを一致させず、その粘着面３０ｂが固着部２の上面２ａより僅かながら突出するようにしている。
【００２１】
次いで、図２（ｂ）に示すように、固着部２の上面２ａより僅かながら突出させた粘着面３０ｂを矢印Ｙ１方向に移動、すなわち、図２（ｃ）に示すように、固着部２の右側面２ｄから下面２ｂに亘って移動させる。これにより、固着部２の上面２ａより僅かながら突出させた粘着面３０ｂが固着部２の右側面２ｄに貼着されると共に、下面２ｂの一部に貼着されることとなる。
【００２２】
かくして、このように第１の粘着シート３０を固着部２に貼着すると、図３（ａ），（ｂ）に示すように、固着部２の上面２ａ及び右側面２ｄの全面を覆うように、第１の粘着シート３０の粘着面３０ｂが貼着され、固着部２の下面２ｂの一部が第１の粘着シート３０の粘着面３０ｂに貼着されることとなる。これにより、図３（ｂ）に示すように、剥離シート３０ｃの一部、すなわち、固着部２の左側面２ｃから固着部２の下面２ｂに位置する部分は、何も貼着されていない状態となる。
【００２３】
次いで、この状態から、図３（ｂ）に示す矢印Ｙ２方向に剥離シート３０ｃを移動させ、図３（ｃ）に示すように、粘着面３０ｂをさらに露出させるように、粘着面３０ｂより剥離シート３０ｃを剥離させる。
【００２４】
次いで、図４（ａ）に示すように、第２の粘着シート３１を固着部２の下面２ｂ側から第１の粘着シート３０に貼着する。この点、より詳しく説明すると、第２の粘着シート３１は、例えば、医療用の粘着シートで形成され、図４（ａ）に示すように、断面視矩形状に形成され、両面に粘着剤が積層された粘着面３１ａ１，３１ａ２を備える透明な粘着層３１ａと、下面に位置する粘着面３１ａ２（図示下側）に貼着されている不透明な剥離シート３１ｂとで構成されている。しかして、このような第２の粘着シート３１を、図４（ａ）に示すように矢印Ｙ３方向に移動させると、図４（ｂ）に示すように、上面に位置する粘着面３１ａ１（図示上側）が図３（ｃ）にて新たに露出させた粘着面３０ｂに貼着し、さらに、固着部２の左側面２ｃ及び下面２ｂに貼着することとなる。そしてその後、剥離シート３１ｂを矢印Ｙ４方向（図４（ｂ）に示す破線部分から実線部分参照）に移動させ、下面に位置する粘着面３１ａ２（図示下側）より剥離シート３１ｂを完全に剥離させる。これにより、下面に位置する粘着面３１ａ２（図示下側）が完全に露出されることとなる。
【００２５】
次いで、図４（ｂ）に示すように、第１の粘着シート３０の剥離シート３０ｃを矢印Ｙ５方向に移動させ、図４（ｃ）に示すように、完全に露出させた粘着面３１ａ２（図示下側）に第１の粘着シート３０の剥離シート３０ｃを貼着する。これにより、図１（ｂ）に示すように、第１の粘着シート３０と、断面視略矩形状の第２の粘着シート３１とが貼り合わされ、止着部３が形成されることとなる。
【００２６】
しかして、このように、複数の粘着シート（図示では、第１の粘着シート３０，第２の粘着シート３１）を貼り合わせ止着部３を形成し、その止着部３を固着部２の平坦面、すなわち、固着部２の上面２ａ，下面２ｂ，左側面２ｃ，右側面２ｄに固着することにより、止着部３の強度が増すこととなる。それゆえ、止着部３を自毛束ＨＧ（図５〜図６参照）に止着させた際、止着部３の強度が高いため、自毛束ＨＧ（図５〜図６参照）の重みによっても、ヘアエクステンションＨが脱落し難くなる。これにより、ヘアエクステンションＨを取付ける際、頭髪の量、すなわち、自毛束ＨＧ（図５〜図６参照）の量を少なくする必要がないため、脱毛の危険性を低減させることができる。
【００２７】
さらに、本実施形態においては、止着部３を形成するにあたって、第１の粘着シート３０の粘着面３０ｂと、第２の粘着シート３１の上面に位置する粘着面３１ａ１とを、固着部２を挟持するように貼り合わせているだけであるから、簡単容易に止着部３を形成することができる。
【００２８】
次に、上記のように構成されるヘアエクステンションＨを頭髪に取り付ける方法を図５〜図７を参照して説明する。
【００２９】
まず、図５（ａ）に示すように、ヘアエクステンションＨにおける止着部３の第１の粘着シート３０の剥離シート３０ｃを第２の粘着シート３１の粘着面３１ａ２より剥離させ、その粘着面３１ａ２を固着部２の幅方向（図示左右方向）程度露出させる。なお、この際、図２（ｂ）に示すように、一部が露出した粘着面３０ｂに固着部２の上面２ａを貼着するにあたって、一部が露出した粘着面３０ｂと固着部２の上面２ａの幅方向（図２（ｂ）では上下方向）の長さを一致させず、その粘着面３０ｂを固着部２の上面２ａより僅かながら突出させたため、図１（ｂ）に示すように、第２の粘着シート３１の粘着面３１ａ２に貼着されていない剥離シート３０ｃが固着部２より僅かながら突出されることとなる。それゆえ、第１の粘着シート３０の剥離シート３０ｃを第２の粘着シート３１の粘着面３１ａ２より剥離する際、剥離が容易となる。
【００３０】
次いで、粘着面３１ａ２を固着部２の幅方向（図示左右方向）程度露出させた状態で、図５（ａ）に示す矢印Ｙ６方向（図示では、鉛直上向き）にヘアエクステンションＨを移動させ、頭髪の一部である自毛束ＨＧと粘着面３１ａ２を固着させる。そしてその後、自毛束ＨＧと粘着面３１ａ２とがしっかり固着するように、第１の粘着シート３０の剥離シート３０ｃを図５（ａ）に示す矢印Ｙ７方向、すなわち、粘着面３１ａ２と固着されている自毛束ＨＧを隠蔽する方向に移動させ、図５（ｂ）に示すように、粘着面３１ａ２と固着されている自毛束ＨＧを第１の粘着シート３０の剥離シート３０ｃにて隠蔽し、その剥離シート３０ｃにて隠蔽している自毛束ＨＧを押圧する。
【００３１】
次いで、第１の粘着シート３０の剥離シート３０ｃを矢印Ｙ８方向に移動させ、図５（ｃ）に示すように、第２の粘着シート３１の粘着面３１ａ２より剥離していき、図６（ａ）に示すように、第２の粘着シート３１の粘着面３１ａ２より第１の粘着シート３０の剥離シート３０ｃを完全に剥離し、さらに、第１の粘着シート３０の粘着面３０ｂからも剥離シート３０ｃを完全に剥離する。これにより、第２の粘着シート３１の粘着面３１ａ２及び第１の粘着シート３０の粘着面３０ｂが完全に露出させることとなる。
【００３２】
次いで、完全に露出された第１の粘着シート３０の粘着面３０ｂ及び第２の粘着シート３１の粘着面３１ａ２を、図６（ａ）に示す矢印Ｙ９方向に移動させ、図６（ｂ）に示すように、自毛束ＨＧの軸心周りに巻き付けていくと、図６（ｃ）に示すように、止着部３が自毛束ＨＧに取り付けられることとなる。これにより、自毛束ＨＧにヘアエクステンションＨが取り付けられることとなる。
【００３３】
しかして、このようにすれば、ヘアエクステンションＨを頭髪に取り付けることができることとなる。
【００３４】
ところで、図５及び図６に示す工程だけでも、ヘアエクステンションＨを頭髪に取り付けることができるが、ヘアエクステンションＨをより強固に頭髪に取り付けるために、以下のような方法をとることができる。すなわち、図６（ｃ）に示すように、止着部３を自毛束ＨＧに止着し、自毛束ＨＧにヘアエクステンションＨを取り付けた後、図７（ａ）に示すように止着部３をヘアアイロン等の頭髪加熱器具Ｉで挟み、その止着部３に対し熱を加える。これにより、止着部３の粘着剤が軟化することとなる。
【００３５】
次いで、図７（ｂ）に示すように、粘着剤が軟化した止着部３を先端Ｎａが凹凸形状を備えるニッパ等の工具Ｎで挟み、その止着部３に凹凸形状を形成する。これにより、自毛束ＨＧと止着部３との接着面接が増え、もって、止着部３と自毛束ＨＧとがより強固に止着されることとなる。
【００３６】
かくして、このような工程を経れば、ヘアエクステンションＨをより強固に頭髪に取り付けることができることとなる。
【００３７】
しかして、上記説明した方法によれば、自毛束ＨＧに第１の粘着シート３０の粘着面３０ｂ及び第２の粘着シート３１の粘着面３１ａ２を巻き付けた止着部３にヘアアイロン等の頭髪加熱器具Ｉを用いて熱を加え、その後、熱を加えた止着部３に先端Ｎａが凹凸形状を備えるニッパ等の工具Ｎを用いて凹凸形状を形成しているから、自毛束ＨＧと止着部３との接着面接が増え、もって、止着部３と自毛束ＨＧとがより強固に止着されることとなる。これにより、ヘアエクステンションＨが頭髪、すなわち、自毛束ＨＧより脱落し難くなり、さらには、ヘアエクステンションＨを取付ける際、頭髪の量、すなわち、自毛束ＨＧの量を少なくする必要がないため、脱毛の危険性を低減させることができる。
【００３８】
なお、本実施形態においては、自毛束ＨＧにヘアエクステンションＨを取り付けた後、止着部３に凹凸形状を形成するようにしたが、自毛束ＨＧにヘアエクステンションＨを取り付ける前に、止着部３に凹凸形状を形成するようにしても良い。このようにすれば、第１の粘着シート３０と第２の粘着シート３１の接着面積が増え、止着部３の強度がより増すこととなるためである。なお、このように、自毛束ＨＧにヘアエクステンションＨを取り付ける前に、止着部３に凹凸形状を形成した際、自毛束ＨＧにヘアエクステンションＨを取り付けた後、さらに、止着部３に凹凸形状を形成しても良いし、形成しなくとも良い。しかしながら、凹凸形状を形成した方が、自毛束ＨＧと止着部３との接着面接が増え、もって、止着部３と自毛束ＨＧとがより強固に止着されることとなるため、形成した方が好ましい。
【００３９】
また、本実施形態においては、固着部２の上面２ａ，下面２ｂ，左側面２ｃ，右側面２ｄが全て平坦面となるように形成したが、これに限らず、固着部２の上面２ａ，下面２ｂの何れかのみ平坦面に形成するだけでも良い。
【００４０】
さらに、本実施形態においては、第１の粘着シート３０は、片面のみ粘着面３０ｂが形成されている例を示したが、勿論、両面に粘着面が形成されていても良い。
【００４１】
一方、本実施形態においては、第１の粘着シート３０を固着部２に貼着した後、第２の粘着シート３１を貼着する例を示したが、それに限らず、第２の粘着シート３１を固着部２に貼着した後、第１の粘着シート３０を固着部２に貼着しても良いし、第１の粘着シート３０に第２の粘着シート３１を予め貼着しておき、図２に示す工程と図４に示す工程を一度にしても良く、止着部３の形成方法は様々な方法を採用することができる。
【００４２】
他方、本実施形態において示した形状等はあくまで一例であり、特許請求の範囲に記載された本発明の要旨の範囲内において、種々の変形・変更が可能である。
【符号の説明】
【００４３】
Ｈ                    ヘアエクステンション
１                    本体部
１ａ                  基端部
２                    固着部
２ａ                  上面
２ｂ                  下面
２ｃ                  右側面
２ｄ                  左側面
３                    止着部
３０                  第１の粘着シート
３０ｂ              （第１の粘着シートの）粘着面
３１                  第２の粘着シート
３１ａ１，３１ａ２  （第２の粘着シートの）粘着面
ＨＧ                  自毛束
Ｉ                    頭髪加熱器具
Ｎ                    工具
【図１】
2018016905.tif 000003
【図２】
2018016905.tif 000004
【図３】
2018016905.tif 000005
【図４】
2018016905.tif 000006
【図５】
2018016905.tif 000007
【図６】
2018016905.tif 000008
【図７】
2018016905.tif 000009